(57)【要約】【課題】本発明は、省電力化が可能な無線基地局装置を備えた無線通信システムを提供することを目的とする。【解決手段】本発明による無線通信システムは、無線基地局装置１０１と、無線基地局装置１０１のサービスエリア３０１内において当該無線基地局装置１０１と無線通信を行う端末２０１と、端末２０１の位置情報を登録して管理する位置登録情報管理装置１０４と、無線基地局装置１０１および位置登録情報管理装置１０４の制御を行う上位装置１０３とを備える無線通信システムであって、無線基地局装置１０１は、位置登録情報管理装置１０４にて管理される端末２０１の位置情報に基づいて、無線基地局装置１０１と無線通信可能な端末２０１が存在しない場合は、無線基地局装置１０１から端末２０１への下りチャネル信号の送信を停止するスタンバイモードを実行することを特徴とする。【選択図】図１
2011223141.tif 000002
【特許請求の範囲】
【請求項１】
無線基地局装置と、
前記無線基地局装置のセル内において当該無線基地局装置と無線通信を行う端末と、
前記端末の位置情報を登録して管理する位置登録情報管理装置と、
前記無線基地局装置および前記位置登録情報管理装置の制御を行う上位装置と、
を備える無線通信システムであって、
前記無線基地局装置は、前記位置登録情報管理装置にて管理される前記端末の位置情報に基づいて、前記無線基地局装置と無線通信可能な前記端末が存在しない場合は、前記無線基地局装置から前記端末への下りチャネル信号の送信を停止するスタンバイモードを実行することを特徴とする、無線通信システム。
【請求項２】
前記無線基地局装置は、前記スタンバイモードにおいて、前記下りチャネル信号を間欠的に前記端末に送信する間欠送信処理を行うことを特徴とする、請求項１に記載の無線通信システム。
【請求項３】
前記無線基地局装置は、前記スタンバイモードにおいて、前記無線基地局装置のセル内に無線通信可能な前記端末が存在する場合は、前記端末との間で無線通信を行う運用モードに変更して実行することを特徴とする、請求項１または２に記載の無線通信システム。
【請求項４】
前記無線基地局装置は、前記位置登録情報管理装置にて管理される前記端末の位置情報に基づいて運用モードを実行することを特徴とする、請求項３に記載の無線通信システム。
【請求項５】
無線基地局装置と、
前記無線基地局装置のセル内において当該無線基地局装置と無線通信を行う端末と、
前記端末の通信状態を所定の期間監視し、前記無線基地局装置と無線通信した前記端末が存在するか否かを判断するモード判断装置と、
前記無線基地局装置のモード情報を管理するモード管理装置と、
前記無線基地局装置および前記モード管理装置の制御を行う上位装置と、
を備える無線通信システムであって、
前記無線基地局装置は、前記モード判断装置の判断結果に基づいて、前記無線基地局装置と無線通信した前記端末が存在しない場合は、前記無線基地局装置から前記端末への下りチャネル信号の送信を停止するスタンバイモードを実行し、
前記モード管理装置は、前記モード情報を前記スタンバイモードとして管理することを特徴とする、無線通信システム。
【請求項６】
前記端末の位置情報を登録して管理する位置登録情報管理装置をさらに備え、
前記位置登録情報管理装置は、前記上位装置からの問い合わせに対して前記端末の位置情報を通知することを特徴とする、請求項５に記載の無線通信システム。
【請求項７】
前記無線基地局装置は、前記スタンバイモードにおいて、前記下りチャネル信号を間欠的に前記端末に送信する間欠送信処理を行うことを特徴とする、請求項５または６に記載の無線通信システム。
【請求項８】
前記無線基地局装置は、前記スタンバイモードにおいて、前記端末に対して前記無線基地局装置のセル外から着信が発生した場合は、前記端末との間で無線通信を行う運用モードに変更して実行することを特徴とする、請求項５または６に記載の無線通信システム。
【請求項９】
前記無線基地局装置は、前記スタンバイモードにおいて、前記端末から発信要求信号を受信した場合は、前記端末との間で無線通信を行う運用モードに変更して実行することを特徴とする、請求項７に記載の無線通信システム。
【請求項１０】
第１の通信装置を有する無線基地局装置と、
前記無線基地局装置のセル内において前記無線基地局装置の前記第１の通信装置と無線通信を行う第２の通信装置を有する端末と、
を備える無線通信システムであって、
前記第１の通信装置は、前記第２の通信装置から前記第１の通信装置に送信される信号に基づいて、前記無線基地局装置のセル内に前記端末を含む通信可能な端末が存在するか否かを判断し、
前記無線基地局装置は、当該無線基地局装置のセル内に前記端末を含む通信可能な端末が存在しない場合は、前記無線基地局装置から前記端末への下りチャネル信号の送信を停止するスタンバイモードを実行することを特徴とする、無線通信システム。
【請求項１１】
前記無線基地局装置は、前記スタンバイモードにおいて、前記第１の通信装置が、前記第２の通信装置から前記第１の通信装置に送信される信号に基づいて前記無線基地局装置のセル内に通信可能な前記端末が存在すると判断した場合は、前記端末と無線通信を行う運用モードに変更して実行することを特徴とする、請求項１０に記載の無線通信システム。
【発明の詳細な説明】
【技術分野】
【０００１】
本発明は、無線基地局装置を備える無線通信システムに関する。
【背景技術】
【０００２】
従来の無線通信システムにおける無線基地局装置は、サービスエリアをカバーするために、常に端末向けの下りチャネル信号の送信を行っている。このようにすることによって、無線基地局装置のサービスエリア内に端末が移動してきても、端末の位置登録および通信中の端末の通信の維持が可能となる（例えば、特許文献１参照）。
【先行技術文献】
【特許文献】
【０００３】
【特許文献１】特開平１０−１４５８４２号公報
【発明の概要】
【発明が解決しようとする課題】
【０００４】
従来の無線基地局装置では、無線基地局装置のサービスエリアが広く、当該サービスエリア内に通信可能な端末が存在しないという状態は想定されていなかった。従って、家庭や店舗、または通信不可能なごく限られたエリアなど、サービスエリア内に通信可能な端末が存在しない状態が想定される場所に、サービスエリアを狭くした無線基地局装置を設置する場合であっても、従来の無線基地局装置はサービスエリアに対して常に下りチャネル信号の送信処理を行うことになる。
【０００５】
また、隣接する無線基地局装置がカバーするサービスエリアから移動してくる端末の通信を維持するために（異なるサービスエリア間を移動する端末の通信を維持するために）、無線基地局装置は自身のサービスエリアに向けて常に下りチャネル信号の送信処理を行う必要があった。
【０００６】
このように、従来の無線基地局装置では、自身のサービスエリア内に存在する端末の有無に関わらず常に下りチャネル信号の送信処理を行っているため、常に電力を消費していた。
【０００７】
本発明は、これらの問題を解決するためになされたものであり、省電力化が可能な無線基地局装置を備えた無線通信システムを提供することを目的とする。
【課題を解決するための手段】
【０００８】
上記の課題を解決するために、本発明による無線通信システムは、無線基地局装置と、無線基地局装置のセル内において当該無線基地局装置と無線通信を行う端末と、端末の位置情報を登録して管理する位置登録情報管理装置と、無線基地局装置および位置登録情報管理装置の制御を行う上位装置とを備える無線通信システムであって、無線基地局装置は、位置登録情報管理装置にて管理される端末の位置情報に基づいて、無線基地局装置と無線通信可能な端末が存在しない場合は、無線基地局装置から端末への下りチャネル信号の送信を停止するスタンバイモードを実行することを特徴とする。
【発明の効果】
【０００９】
本発明によると、無線基地局装置は、位置登録情報管理装置にて管理される端末の位置情報に基づいて、無線基地局装置と無線通信可能な端末が存在しない場合は、無線基地局装置から端末への下りチャネル信号の送信を停止するスタンバイモードを実行するため、省電力化が可能となる。
【図面の簡単な説明】
【００１０】
【図１】本発明の実施形態１による無線通信システムの概略図である。
【図２】本発明の実施形態１による無線基地局装置における動作モードの状態遷移を示すシーケンスを示す図である。
【図３】本発明の実施形態１による無線基地局装置における動作モードの状態遷移を示すシーケンスを示す図である。
【図４】本発明の実施形態１による無線基地局装置における動作モードの状態遷移を示すシーケンスを示す図である。
【図５】本発明の実施形態１による無線基地局装置における動作モードの状態遷移を示すシーケンスを示す図である。
【図６】本発明の実施形態２による無線通信システムの概略図である。
【図７】本発明の実施形態２による無線基地局装置における動作モードの状態遷移を示すシーケンスを示す図である。
【図８】本発明の実施形態２による無線基地局装置における動作モードの状態遷移を示すシーケンスを示す図である。
【図９】本発明の実施形態２による無線基地局装置における動作モードの状態遷移を示すシーケンスを示す図である。
【図１０】本発明の実施形態３による無線通信システムの概略図である。
【図１１】本発明の実施形態３による無線基地局装置における動作モードの状態遷移を示すシーケンスを示す図である。
【図１２】本発明の実施形態３による無線基地局装置における動作モードの状態遷移を示すシーケンスを示す図である。
【図１３】本発明の実施形態３による無線基地局装置における動作モードの状態遷移を示すシーケンスを示す図である。
【図１４】本発明の実施形態３による無線基地局装置における動作モードの状態遷移を示すシーケンスを示す図である。
【発明を実施するための形態】
【００１１】
本発明の実施形態について、図面に基づいて以下に説明する。
【００１２】
〈実施形態１〉
図１は、本発明の実施形態１による無線通信システムの概略図である。図１に示すように、本実施形態１による無線通信システムは、無線基地局装置１０１，１０２と、無線基地局装置１０１，１０２のサービスエリア３０１，３０２（セル）内において無線基地局装置１０１，１０２と無線通信を行う端末２０１，２０２と、端末２０１，２０２の位置情報を登録して管理する位置登録情報管理装置１０４と、無線基地局装置１０１，１０２および位置登録情報管理装置１０４の制御を行う上位装置１０３とを備えている。
【００１３】
なお、端末２０１と端末２０２とは同一の端末であり、無線基地局装置１０１のサービスエリア３０１内に存在する端末を端末２０１とし、無線基地局装置１０２のサービスエリア３０２内に存在する端末を端末２０２とする。
【００１４】
まず、無線基地局装置１０２のサービスエリア３０２内に在圏している（通信可能な）端末２０２が無線基地局装置１０１のサービスエリア３０１に移動するときの、無線基地局装置１０１における動作モードの状態遷移について図２を用いて説明する。なお、図２において、無線基地局装置１０１は、自身がカバーするサービスエリア３０１内に通信可能な端末が存在していないため、下りチャネル信号の送信処理を停止したスタンバイモードの状態であるものとする。
【００１５】
図２に示すように、位置登録情報管理装置１０４には、端末２０２が無線基地局装置１０２のサービスエリア３０２内に在圏している旨の情報が登録して管理されている。端末２０２がサービスエリア３０２からサービスエリア３０１へ移動するのに伴い、上位装置１０３は位置登録情報管理装置１０４にその旨を通知する。
【００１６】
無線基地局装置１０１は、上位装置１０３から受信した情報に基づいて、動作モードをスタンバイモードから運用モード（無線基地局装置１０１から端末２０１への下りチャネル信号の送信処理を開始し、無線基地局装置１０１と端末２０１との間で無線通信を可能にする動作モード）に切り替える処理を行う。そして、端末２０２がサービスエリア３０１内に移動すると、位置登録情報管理装置１０４はサービスエリア３０１内の端末２０１として位置登録を行い、端末２０１が無線基地局装置１０１のサービスエリア３０１内に在圏している旨の情報に更新する。
【００１７】
このように、無線基地局装置１０１は、スタンバイモードにおいて、無線基地局装置１０１のサービスエリア３０１内に無線通信可能な端末２０１が存在する場合は、端末２０１との間で無線通信を行う運用モードに変更して実行する。従って、端末２０１がサービスエリア３０１内に移動してきたときには、無線基地局装置１０１は下りチャネル信号の送信処理を行っている状態であるため、端末２０１の位置登録が可能であり、端末２０１がサービスエリア３０１内に在圏している状態において通信が可能となる。
【００１８】
次に、無線基地局装置１０２のサービスエリア３０２内で通信状態にある（通信中の）端末２０２が無線基地局装置１０１のサービスエリア３０１に移動するときの、無線基地局装置１０１における動作モードの状態遷移について図２を用いて説明する。なお、ここでは、サービスエリア３０２内で通信中の端末２０２が、サービスエリア３０１内でも通信を維持する方法について説明する。
【００１９】
図２に示すように、位置登録情報管理装置１０４には、端末２０２が無線基地局装置１０２のサービスエリア３０２内に在圏している旨の情報が登録して管理されている。端末２０２がサービスエリア３０２からサービスエリア３０１に移動するのに伴い、上位装置１０３は位置登録情報管理装置１０４にその旨を通知する。
【００２０】
無線基地局装置１０１は、上位装置１０３から受信した情報に基づいて、動作モードをスタンバイモードから運用モードに切り替える処理を行う。そして、端末２０２がサービスエリア３０１内に移動すると、位置登録情報管理装置１０４はサービスエリア３０１内の端末２０１として位置登録を行い、端末２０１が無線基地局装置１０１のサービスエリア３０１内に在圏している旨の情報に更新する。
【００２１】
運用モードへの切り替え後、上位装置１０３は、サービスエリア３０２内の端末２０２との通信を維持しているため、無線基地局装置１０１に対して端末２０２との通信データの送信を開始する。
【００２２】
無線基地局装置１０１は、動作モードを運用モードに切り替えているため、上位装置１０３から送信された端末２０２の通信データを受信して処理することが可能となり、端末２０２がサービスエリア３０１に端末２０１として入ってきたタイミングに合わせて、端末２０１からの通信データに関する受信処理も可能となり端末の通信状態を維持することができる。
【００２３】
次に、無線基地局装置１０１のサービスエリア３０１内に在圏している端末２０１が無線基地局装置１０２のサービスエリア３０２に移動するときの、無線基地局装置１０１における動作モードの状態遷移について図３を用いて説明する。
【００２４】
図３に示すように、位置登録情報管理装置１０４には、端末２０１が無線基地局装置１０１のサービスエリア３０１内に在圏している旨の情報が登録して管理されている。端末２０１がサービスエリア３０１からサービスエリア３０２に移動すると、無線基地局装置１０１経由でその旨を検知した上位装置１０３は位置登録情報管理装置１０４にその旨を通知する。通知を受けた位置登録情報管理装置１０４は、端末２０１の位置情報を削除し、サービスエリア３０１内に通信可能な端末が存在しない場合にはその旨の情報を上位装置１０３に送信する。上位装置１０３は、サービスエリア３０１内に通信可能な端末が存在しないという情報を位置登録情報管理装置１０４から受信すると、無線基地局装置１０１に対してスタンバイモードへの動作モードの切り替えを指示する。指示を受けた無線基地局装置１０１は動作モードを運用モードからスタンバイモードに切り替える。このように、サービスエリア３０１内に端末２０１が存在しないときは無線基地局装置１０１の動作モードをスタンバイモードにすることによって、無線基地局装置１０１の省電力化が可能となる。
【００２５】
また、サービスエリア３０１内で通信中の端末２０１がサービスエリア３０２に移動した場合であっても、上記と同様の処理を行うことによって、通信状態を維持したまま移動することができるとともに、無線基地局装置１０１の省電力化が可能となる。
【００２６】
次に、無線基地局装置１０１のサービスエリア３０１内で在圏または通信状態にある端末２０１が電源をＯＦＦしたときの、無線基地局装置１０１における動作モードの状態遷移について図４を用いて説明する。
【００２７】
図４に示すように、位置登録情報管理装置１０４には、端末２０１が無線基地局装置１０１のサービスエリア３０１内に在圏している旨の情報が登録して管理されている。サービスエリア３０１内で端末２０１が電源をＯＦＦすると、無線基地局装置１０１経由でその旨を検知した上位装置１０３は位置登録情報管理装置１０４にその旨を通知する。通知を受けた位置登録情報管理装置１０４は、端末２０１の位置情報を削除し、サービスエリア３０１内に通信可能な端末が存在しない場合にはその旨の情報を上位装置１０３に送信する。上位装置１０３は、サービスエリア３０１内に通信可能な端末が存在しないという情報を位置登録情報管理装置１０４から受信すると、無線基地局装置１０１に対してスタンバイモードへの動作モードの切り替えを指示する。指示を受けた無線基地局装置１０１は動作モードを運用モードからスタンバイモードに切り替える。このように、無線基地局装置１０１をスタンバイモードにすることによって、無線基地局装置１０１の省電力化が可能となる。
【００２８】
次に、無線基地局装置１０１のサービスエリア３０１内で電源をＯＦＦした状態の端末２０１の電源をＯＮしたときの、無線基地局装置１０１における動作モードの状態遷移について図５を用いて説明する。
【００２９】
スタンバイモード中の無線基地局装置１０１のサービスエリア３０１では、無線基地局装置１０１が下りチャネル信号の送信処理を停止しているため、サービスエリア３０１にて電源をＯＦＦした状態の端末２０１の電源をＯＮしたとしても、位置登録や通信ができない状態となる（なお、他のサービスエリアからスタンバイモード中の無線基地局装置１０１のサービスエリア３０１への端末の移動については、前述の方法（図２参照）で位置登録や通信が可能となる）。このような状態を回避するために、無線基地局装置１０１は、スタンバイモードにおいて下りチャネル信号の間欠送信処理を行う。ここでいう間欠送信処理とは、スタンバイモードにおいて所定の周期で下りチャネル信号の送信処理を実行する処理のことである。
【００３０】
図５に示すように、無線基地局装置１０１は、スタンバイモードにおいて、下りチャネル信号を間欠的に端末２０１に送信する間欠送信処理を行っている。間欠送信処理の実行中に通信可能な端末２０１がサービスエリア３０１内に存在しない場合は、位置登録情報管理装置１０４に端末２０１の位置情報が登録されないため、無線基地局装置１０１は再度スタンバイモードで動作する。スタンバイモードで動作することによって、無線基地局装置１０１の省電力化が可能となる。
【００３１】
一方、間欠送信処理の実行中に通信可能な端末２０１がサービスエリア３０１内に存在する場合は、位置登録情報管理装置１０４に対して端末２０１の位置情報が登録される。位置情報の登録後、位置登録情報管理装置１０４は、上位装置１０３を介して無線基地局装置１０１に対して位置情報が登録された旨の情報（すなわち、上位装置１０３から無線基地局装置１０１に対して動作モードを運用モードに切り替える指示）を送信する。無線基地局装置１０１は、上位装置１０３から受信した情報に基づいて、スタンバイモードから運用モードに動作モードを切り替えて下りチャネル信号の送信処理を開始し、端末２０１との間で通信可能な状態とする。このように、無線基地局装置１０１は、位置登録情報管理装置１０４にて管理される端末２０１の位置情報に基づいて運用モードを実行する。
【００３２】
以上のことから、無線基地局装置１０１が、位置登録情報管理装置にて管理される端末２０１の位置情報に基づいて、無線基地局装置１０１と無線通信可能な端末２０１が存在しない場合は、無線基地局装置１０１から端末２０１への下りチャネル信号の送信を停止するスタンバイモードを実行することによって、無線基地局装置１０１の省電力化が可能となる。
【００３３】
なお、無線基地局装置１０１は、スタンバイモードのときに下りチャネル信号の送信処理を停止しているが、上位装置１０３から無線基地局装置１０１への前記下りチャネル信号に必要となる情報も停止してもよい。そのようにすることによって、上位装置１０３と無線基地局装置１０１とのトラヒックが低減され、上位装置１０３と接続された他の無線基地局装置との間における情報の授受のためにトラヒックを使用することができる。
【００３４】
〈実施形態２〉
図６は、本発明の実施形態２による無線通信システムの概略図である。実施形態１では、無線基地局装置１０１のサービスエリア３０１内に端末２０１が存在しない場合にのみ、無線基地局装置１０１の動作モードをスタンバイモードに切り替えたが、本実施形態２では、無線基地局装置１０１のサービスエリア３０１に在圏する端末２０１が通信していない状態であってもスタンバイモードに切り替えることを特徴としている。
【００３５】
また、図６に示すように、本実施形態２による無線通信システムは、端末２０１の通信状態を所定の期間監視し、無線通信基地局装置１０１と無線通信した端末２０１が存在するか否かを判断するモード判断装置１０５と、無線基地局装置１０１の動作モードの情報（モード情報）を管理するモード管理装置１０６とを備えることを特徴としている。その他の構成および動作は、実施形態１と同様であるため、ここでは説明を省略する。
【００３６】
なお、本実施形態２において、モード判断装置１０５は、無線基地局装置１０１の通信時に使用する個別チャネル（端末毎に通信時に割り当てられる基地局内部の情報）の使用状況を監視しているものとする。
【００３７】
まず、本実施形態２の無線基地局装置１０１における動作モードの状態遷移について図７を用いて説明する。
【００３８】
図７に示すように、モード判断装置１０５は、無線基地局装置１０１のサービスエリア３０１内に存在する端末２０１の通信状態を所定の期間監視し、無線基地局装置１０１を使用した（無線基地局装置１０１と無線通信した）端末２０１が存在するか否かを判断し、判断結果の情報を上位装置１０３に送信する。そして、モード判断装置１０５は、判断の結果、無線基地局装置１０１と無線通信した端末２０１が所定の期間に渡って存在しないと判断すると、その旨を上位装置１０３に送信する。上位装置１０３はモード判断装置１０５から受信した情報に基づいて、無線基地局装置１０１に対して動作モードをスタンバイモードに切り替える旨の指示をするとともに、モード管理装置１０６に対して無線基地局装置１０１がスタンバイモードであることを設定して管理させる。
【００３９】
このように、無線基地局装置１０１のサービスエリア３０１に存在する通信可能な端末２０１が通信を行っていない場合において、無線基地局装置１０１は動作モードをスタンバイモードにするため省電力化が可能となる。
【００４０】
次に、無線基地局装置１０１がスタンバイモードの場合において、無線基地局装置１０１のサービスエリア３０１外からサービスエリア３０１内に在圏する端末２０１に対して着信が発生した場合について図８を用いて説明する。
【００４１】
図８に示すように、端末２０１に着信が発生した場合において、上位装置１０３は、位置登録情報管理装置１０４に対して端末２０１の所在を問い合わせる。問い合わせを受けた位置登録情報管理装置１０４は、上位装置１０３に対して端末２０１の所在を通知する（ここでは、端末２０１が無線基地局１０１のサービスエリア３０１に在圏するものとする）。位置登録情報管理装置１０４から端末２０１の所在の通知を受けた上位装置１０３は、モード管理装置１０６に対して無線基地局装置１０１の動作モードを問い合わせる。問い合わせを受けたモード管理装置１０６は、無線基地局装置１０１のモード状態を通知する（ここでは、無線基地局装置１０１の動作モードはスタンバイモードであるとする）。モード管理装置１０６から無線基地局装置１０１の動作モードの通知を受けた上位装置１０３は、無線基地局装置１０１に対して動作モードを運用モードに切り替えるように指示するとともに、モード管理装置１０６に対して無線基地局装置１０１の動作モードが運用モードである旨を設定して管理させる。動作モードを運用モードに切り替えた無線基地局装置１０１は、自身のサービスエリア３０１に在圏する端末２０１に対して着信処理を行うことによって、端末２０１との通信が可能となる。すなわち、無線基地局装置１０１は、スタンバイモードにおいて、端末２０１に対して無線基地局装置２０１のサービスエリア３０１（セル）外から着信が発生した場合は、端末２０１との間で無線通信を行う運用モードに変更して実行する。
【００４２】
次に、無線基地局装置１０１のサービスエリア３０１内に在圏する端末２０１が発信する場合について図９を用いて説明する。
【００４３】
図９に示すように、無線基地局装置１０１は、スタンバイモードにおいて、下りチャネル信号を間欠的に端末２０１に送信する間欠送信処理を行っているため、端末２０１からの発信要求信号を受信することが可能である。端末２０１から発信要求信号を受信した無線基地局装置１０１は、その旨を上位装置１０３に通知する。通知を受けた上位装置１０３は、無線基地局装置１０１に対して動作モードを運用モードに切り替えるよう指示するとともに、モード管理装置１０６に対して無線基地局装置１０１の動作モードが運用モードである旨を設定（更新）して管理させる。無線基地局装置１０１は、動作モードを運用モードにすることによって、端末２０１からの発信処理を行うことによって、端末２０１との通信が可能となる。すなわち、無線基地局装置１０１は、スタンバイモードにおいて、端末２０１から発信要求信号を受信した場合は、端末２０１との間で無線通信を行う運用モードに変更して実行する。
【００４４】
以上のことから、無線基地局装置１０１のサービスエリア３０１に在圏する端末２０１が通信していない状態であってもスタンバイモードに切り替えるため、実施形態１よりも無線基地局装置１０１のさらなる省電力化が可能となる。
【００４５】
〈実施形態３〉
図１０は、本発明の実施形態３による無線通信システムの概略図である。本実施形態３では、無線基地局装置１０１および端末２０１のみを用いて無線基地局装置１０１の省電力化を行うことを特徴としている。
【００４６】
図１０に示すように、本実施形態３による無線通信システムは、通信装置１１１（第１の通信装置）を有する無線基地局装置１０１と、無線基地局装置１０１のサービスエリア３０１（セル）内において無線基地局装置１０１の通信装置１１１と無線通信を行う通信装置２１１（第２の通信装置）を有する端末２０１とを備えている。
【００４７】
なお、端末２０１と端末２０２、通信装置２１１と通信装置２１２とはそれぞれ同一であり、無線基地局装置１０１のサービスエリア３０１内に存在する端末および通信装置をそれぞれ端末２０１および通信装置２１１とし、サービスエリア３０１外に存在する端末および通信装置をそれぞれ端末２０２通信装置２１２とする。また、通信装置１１１，２１１は、例えば、無線ＬＡＮ（Ｌｏｃａｌ  Ａｒｅａ  Ｎｅｔｗｏｒｋ）やＢｌｕｅｔｏｏｔｈ（登録商標）を用いてもよい。
【００４８】
まず、無線基地局装置１０１のサービスエリア３０１外に在圏している端末２０２が、サービスエリア３０１内に移動するときの、無線基地局装置１０１における動作モードの状態遷移について図１１を用いて説明する。
【００４９】
図１１に示すように、無線基地局装置１０１はスタンバイモードであるとする。端末２０２が端末２０１としてサービスエリア３０１内に移動すると、端末２０１の通信装置２１１が無線基地局装置１０１の通信装置１１１に対して、端末２０１がサービスエリア３０１内に移動してきた旨の信号を送信する。通信装置２１１からの信号を受信した通信装置１１１は、無線基地局装置１０１に対して動作モードを切り替える旨の指示をする。指示を受けた無線基地局装置１０１は、動作モードをスタンバイモードから運用モードに切り替える。無線基地局装置１０１が動作モードを運用モードに切り替えることによって、サービスエリア３０１に移動してきた端末２０１は通信が可能となる。
【００５０】
次に、無線基地局装置１０１のサービスエリア３０１内に在圏する端末２０１が、サービスエリア３０１外に移動するときの、無線基地局装置１０１における動作モードの状態遷移について図１２を用いて説明する。
【００５１】
図１１に示すように、端末２０１の通信装置２１１は、無線基地局装置１０１の通信装置１１１に対して信号を送信しており、通信装置１１１は信号を受信することによって端末２０１（通信可能な端末）がサービスエリア３０１内に存在しているか否かの判断を行っている。端末２０１がサービスエリア３０１外に移動する場合において、通信装置１１１がービスエリア３０１内に通信可能な端末は存在しない（すなわち、サービスエリア３０１内に端末２０１を含む通信可能な端末が存在しない）と判断すると、無線基地局装置１０１に対して動作モードの切り替えの指示を行う。指示を受けた無線基地局装置１０１は、無線基地局装置１０１から端末２０１への下りチャネル信号の送信を停止するスタンバイモードに切り替える。スタンバイモードとすることによって、無線基地局装置１０１は省電力化が可能となる。
【００５２】
次に、無線基地局装置１０１のサービスエリア３０１内に在圏する端末２０１が電源をＯＦＦしたときの、無線基地局装置１０１における動作モードの状態遷移について図１３を用いて説明する。
【００５３】
図１３に示すように、サービスエリア３０１に在圏する端末２０１が電源をＯＦＦする際、端末２０１の通信装置２１１は無線基地局装置１０１の通信装置１１１に対して電源をＯＦＦする旨を通知する。通知を受けた通信装置１１１は、サービスエリア３０１内に端末２０１以外の通信可能な端末が存在しないと判断する（すなわち、端末２０１を含む通信可能な端末がサービスエリア３０１内に存在しないと判断する）と、無線基地局装置１０１に対して動作モードの切り替えを指示する。指示を受けた無線基地局装置１０１は、動作モードを運用モードからスタンバイモードに切り替える。スタンバイモードとすることによって、無線基地局装置１０１は省電力化が可能となる。
【００５４】
次に、無線基地局装置１０１がスタンバイモードであって、サービスエリア３０１内で電源をＯＦＦした状態の端末２０１の電源をＯＮしたときの、無線基地局装置１０１における動作モードの状態遷移について図１４を用いて説明する。
【００５５】
図１４に示すように、無線基地局装置１０１のサービスエリア３０１内で端末２０１が電源をＯＮすると、通信装置２１１から通信装置１１１に対して端末２０１の電源がＯＮした旨が通知される。通知を受けた通信装置１１１は、無線基地局装置１０１に対して動作モードの切り替えを指示する。指示を受けた無線基地局装置１０１は、動作モードをスタンバイモードから運用モードに切り替える。すなわち、無線基地局装置１０１は、スタンバイモードにおいて、通信装置１１１が、通信装置２１１から通信装置１１１に送信される信号に基づいて無線基地局装置１０１のサービスエリア３０１内に通信可能な端末２０１が存在すると判断した場合は、端末２０１と無線通信を行う運用モードに変更して実行する。無線基地局装置１０１の動作モードを運用モードにすることによって、端末２０１は通信可能な状態となる。
【００５６】
以上のことから、無線基地局装置１０１および端末２０１のみを用いて無線基地局装置１０１の省電力化を行うことが可能となる。
【符号の説明】
【００５７】
１０１  無線基地局装置、１０２  無線基地局装置、１０３  上位装置、１０４  位置登録情報管理装置、１０５  モード判断装置、１０６  モード管理装置、１１１  通信装置、２０１  端末、２０２  端末、２１１  通信装置、２１２  通信装置、３０１  サービスエリア、３０２  サービスエリア。
【図１】
2011223141.tif 000003
【図２】
2011223141.tif 000004
【図３】
2011223141.tif 000005
【図４】
2011223141.tif 000006
【図５】
2011223141.tif 000007
【図６】
2011223141.tif 000008
【図７】
2011223141.tif 000009
【図８】
2011223141.tif 000010
【図９】
2011223141.tif 000011
【図１０】
2011223141.tif 000012
【図１１】
2011223141.tif 000013
【図１２】
2011223141.tif 000014
【図１３】
2011223141.tif 000015
【図１４】
2011223141.tif 000016